(57)【特許請求の範囲】
【請求項１】
液晶パネルの垂直方向における複数の表示領域に対応して並設された複数の光源を有するバックライト光源と，１フレーム期間内で複数の前記光源各々を順次間欠点灯させるバックライトスキャン処理を実行するバックライト制御手段とを備えてなる液晶表示装置であって，
前記バックライト制御手段が，前記光源ごとに予め設定された点灯率に基づいて該光源各々を間欠点灯させるものであって，複数の前記光源のうち中央に位置する光源を基準光源としたとき，前記基準光源よりも点灯率が低い若しくは前記基準光源と点灯率が同じである一又は複数の前記光源が存在する場合，該光源のうち前記基準光源よりも点灯順序が先の前記光源は点灯開始タイミングを遅らせ，前記基準光源よりも点灯順序が後の前記光源は点灯開始タイミングを早めてなることを特徴とする液晶表示装置。
【請求項２】
前記光源各々の点灯率の比が，全ての前記光源を同時に点灯又は同じ点灯率で間欠点灯させたときに該光源各々に対応する前記表示領域各々で得られる輝度の比の逆比となるように予め設定されたものである請求項１に記載の液晶表示装置。
【請求項３】
前記バックライトスキャン処理が，１フレーム期間の垂直同期信号及び水平同期信号に同期して前記複数の光源を順次間欠点灯させるものである請求項１又は２に記載の液晶表示装置。
【発明の詳細な説明】
【技術分野】
【０００１】
本発明は，液晶パネル及びバックライト光源を備える液晶表示装置に関し，特に，バックライト光源を間欠点灯させることにより動画表示の動きぼけや多重輪郭の防止を図る技術に関するものである。
【背景技術】
【０００２】
近年，液晶パネル及びバックライト光源を備えてなる液晶表示装置は，テレビジョン受像機やディスプレイ装置などの用途で広く普及している。液晶表示装置では，バックライト光源を常時点灯させるホールド駆動に起因して動画表示の際に生じる動きぼけや多重輪郭が問題となる。
そのため，従来から，１フレーム期間（１垂直期間）内でバックライト光源を間欠点灯させて擬似的にインパルス駆動に近づけることにより，動画表示の際に生じる動きぼけや多重輪郭を防止する手法が知られている（例えば，特許文献１参照）。
特に，前記特許文献１に開示されているように，液晶パネルの垂直方向における複数の表示領域に対応する複数の光源を該表示領域の画像の書き込みに同期させて順次間欠点灯させるバックライトスキャン処理が実行されることがある。以下，具体例を説明する。
【０００３】
ここに，図２は，液晶パネルの垂直方向における複数の表示領域に対応した複数のＬＥＤ光源群Ｌ１〜Ｌ１２を有するバックライト光源３１の概略構成を示している。バックライト光源３１のＬＥＤ光源群Ｌ１〜Ｌ１２各々は，水平方向に配列された複数のＬＥＤ光源３１ａを有している。
そして，図３は，バックライト光源３１のバックライトスキャン処理の実行結果の具体例を示している。図３に示すように，バックライトスキャン処理では，ＬＥＤ光源群Ｌ１〜Ｌ１２が１フレーム内で順次消灯，点灯されることになる。これにより，擬似的にインパルス駆動に近づけることができ，動画表示の際に生じる動きぼけや多重輪郭を防止することができる。
【０００４】
ところで，バックライト光源３１におけるＬＥＤ光源群Ｌ１〜Ｌ１２各々からの光は，他のＬＥＤ光源群Ｌ１〜Ｌ１２各々の位置における輝度に影響を与える。
例えば，図６は，ＬＥＤ光源群Ｌ１〜Ｌ１２のうち上端に位置するＬＥＤ光源群Ｌ１のみを点灯させた場合の該ＬＥＤ光源群Ｌ１と他のＬＥＤ光源群Ｌ２〜Ｌ１２との輝度比の関係例を示すグラフである。図６に示すように，ＬＥＤ光源群Ｌ２〜Ｌ１２各々の位置における輝度は，ＬＥＤ光源群Ｌ１から漏れた光の影響を受ける。そのため，１フレームにおけるバックライト光源３１による液晶パネルの照明の輝度を均一にするには，該ＬＥＤ光源群Ｌ１〜Ｌ１２各々の点灯率を調整する必要がある。
【先行技術文献】
【特許文献】
【０００５】
【特許文献１】特許第３９９４９９７号公報
【発明の概要】
【発明が解決しようとする課題】
【０００６】
しかしながら，バックライト光源３１による照明の輝度を均一にするためにＬＥＤ光源群Ｌ１〜Ｌ１２各々の点灯率を変更するとき，該点灯率の変更手法によっては，バックライト光源３１のバックライトスキャン処理における黒挿入（間欠点灯）の効果が低減するおそれがある。
具体的に，図７は，バックライト光源３１のＬＥＤ光源群Ｌ１〜Ｌ１２の点灯率の変更手法の一例を示している。なお，図７における斜線部が点灯期間の延長箇所である。
図７に示す例では，ＬＥＤ光源群Ｌ１〜Ｌ１２のうちＬＥＤ光源群Ｌ７を基準として他のＬＥＤ光源群Ｌ１〜Ｌ６，Ｌ８〜Ｌ１２の点灯率を変更する場合に，点灯期間の前半部分を延長している。この場合，ＬＥＤ光源群Ｌ８〜Ｌ１２各々では，隣接するＬＥＤ光源群との同時点灯期間が延長されることになるが，ＬＥＤ光源群Ｌ１〜Ｌ６各々では，隣接するＬＥＤ光源群が消灯している期間における点灯時間が延長されることになる。そのため，ＬＥＤ光源群Ｌ１〜Ｌ６各々では，点灯しているＬＥＤ光源群から消灯しているＬＥＤ光源群の位置に光が漏れ，黒挿入の効果が低減するという問題が生じる。なお，逆に，ＬＥＤ光源群Ｌ１〜Ｌ６，Ｌ８〜Ｌ１２各々の点灯期間の後半部分を延長した場合にも，該ＬＥＤ光源群Ｌ８〜Ｌ１２各々において，隣接するＬＥＤ光源群が消灯している期間における点灯時間が延長されることになるため同様の問題が生じる。
また，逆に，基準となる前記ＬＥＤ光源群Ｌ７よりも点灯期間が短い光源群が存在する場合にも，その光源群の点灯タイミング如何によっては，その光源群が消灯している期間において隣接する光源群が点灯している時間が長くなり，黒挿入の効果が低減するという問題が生じる。
従って，本発明は上記事情に鑑みてなされたものであり，その目的とするところは，バックライト光源における光源相互間の光漏れによる黒挿入の効果（動画表示の動きぼけや多重輪郭の防止効果）の低減を抑制しつつ，該光源各々の点灯率を変化させることのできる液晶表示装置を提供することにある。
【課題を解決するための手段】
【０００７】
上記目的を達成するために本発明は，液晶パネルの垂直方向における複数の表示領域に対応して並設された複数の光源を有するバックライト光源と，１フレーム期間内で複数の前記光源各々を順次間欠点灯させるバックライトスキャン処理を実行するバックライト制御手段とを備えてなる液晶表示装置に適用されるものであって，前記バックライト制御手段が，前記光源ごとに予め設定された点灯率に基づいて該光源各々を間欠点灯させるものであって，複数の前記光源のうち中央に位置する光源を基準光源としたとき，前記基準光源よりも点灯率が低い若しくは前記基準光源と点灯率が同じである一又は複数の前記光源が存在する場合，該光源のうち前記基準光源よりも点灯順序が先の前記光源は点灯開始タイミングを遅らせ，前記基準光源よりも点灯順序が後の前記光源は点灯開始タイミングを早めてなることを特徴とする液晶表示装置として構成される。
これにより，前記基準光源よりも点灯率が低い若しくは前記基準光源と点灯率が同じである光源と他の前記光源との間の光漏れの影響を低減することができ，前記バックライト光源における光源相互間の光漏れに起因する黒挿入の効果（動画表示の動きぼけや多重輪郭の防止効果）の低減を抑制することができる。
【０００８】
ところで，前記光源各々の点灯率の比は，全ての前記光源を同時に点灯又は同じ点灯率で間欠点灯させたときに該光源各々に対応する前記表示領域各々で得られる輝度の比の逆比となるように予め設定されたものであることが考えられる。
また，前記バックライトスキャン処理は，例えば１フレーム期間の垂直同期信号及び水平同期信号に同期して前記複数の光源を順次間欠点灯させるものであることが考えられる。
【発明の効果】
【０００９】
本発明によれば，前記基準光源よりも点灯順序が前及び後のいずれの光源についても，隣接する光源が消灯している期間における点灯時間の延長を抑制しつつ点灯率を変化させることができるため，前記バックライト光源における光源相互間の光漏れに起因する黒挿入の効果（動画表示の動きぼけや多重輪郭の防止効果）の低減を抑制しつつ点灯率を変更することができる。
また，前記基準光源よりも点灯率が低い若しくは前記基準光源と点灯率が同じである光源と他の前記光源との間の光漏れの影響を低減することができ，前記バックライト光源における光源相互間の光漏れに起因する黒挿入の効果（動画表示の動きぼけや多重輪郭の防止効果）の低減を抑制することができる。
【図面の簡単な説明】
【００１０】
【図１】本発明の実施の形態に係る液晶表示装置の概略構成を示すブロック図。
【図２】本発明の実施の形態に係る液晶表示装置に設けられたバックライト光源の一例を示す模式図。
【図３】通常のバックライトスキャン処理の実行結果の一例を説明するための図。
【図４】点灯率変更時のバックライトスキャン処理の実行結果の一例を説明するための図。
【図５】本発明の実施の形態に係る液晶表示装置におけるバックライト光源の光源全点灯時の輝度比の関係を示す図。
【図６】バックライト光源の一つの光源のみを点灯させたときの輝度比の関係示す図。
【図７】バックライト光源の光源各々の点灯率の変更手法の一例を説明するための図。
【発明を実施するための形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
図１に示すように，本発明の実施の形態に係る液晶表示装置Ｘは，表示制御部１１，液晶パネル２１，液晶駆動部２２，バックライト光源３１，バックライト制御部３２（バックライト制御手段の一例）などを有している。
前記液晶表示装置Ｘは，例えばテレビジョン受像機やパソコンに用いられるディスプレイ装置などである。なお，本実施の形態では，本発明に直接影響しない一般的なテレビジョン受像機やディスプレイ装置が備える他の構成要素の説明を省略する。
【００１２】
前記表示制御部１１は，不図示のアンテナによって受信されるテレビジョン放送や不図示の外部入力端子から入力される映像コンテンツなどに含まれた映像信号を受信し，該映像信号に基づいて垂直同期信号や水平同期信号などを生成する。そして，前記映像信号や前記垂直同期信号，前記水平同期信号は，前記表示制御部１１から前記液晶駆動部２２に入力される。また，前記表示制御部１１は，前記垂直同期信号及び前記水平同期信号を前記バックライト制御部３２に入力する。
ここで，前記表示制御部１１は，テレビジョン放送の映像信号の周波数である６０Ｈｚの倍速の１２０Ｈｚの駆動周波数の垂直同期信号を生成する。そのため，前記表示制御部１１は，前記映像信号における１フレームの画像を前記液晶駆動部２２に２回ずつ出力し，或いは前記映像信号における連続する２フレームから補間画像を生成してそのフレーム間に挿入して前記液晶駆動部２２に出力する。
【００１３】
前記液晶パネル２１は，液晶層と該液晶層に走査信号及びデータ信号を印加するための走査電極及びデータ電極とによって形成され，印加電圧により透過率が変化する複数の液晶素子を有する従来周知のアクティブマトリクス型の液晶パネルである。
前記液晶駆動部２２は，前記表示制御部１１から入力される画像信号と垂直同期信号及び水平同期信号とに基づいて，前記液晶パネル２１の走査電極（ゲート電極）及びデータ電極（ソース電極）を駆動させる。具体的に，前記液晶駆動部２２は，垂直同期信号の受信後，１ライン目に対応する水平同期信号に応じて走査電極にゲート信号を出力すると共に，１ライン目に対応する画像信号をデータ電極に順次出力する。これにより，１ライン目の画像表示が行われる。その後，前記液晶駆動部２２は，２ライン目に対応する水平同期信号が入力されると，２ライン目の走査電極にゲート信号を出力し，２ライン目に対応する画像信号をデータ電極に順次出力する。その後も同様の処理が繰り返されることにより前記液晶パネル２１の全画面の画像表示が行われる。
【００１４】
前記バックライト光源３１は，前記液晶パネル２１の背面に配置され，該液晶パネル２１を背後から照明するものである。ここに，図２は，前記バックライト光源３１の構造の一例を示す模式図である。
図２に示すように，前記バックライト光源３１は，前記液晶パネル２１の垂直方向における複数の表示領域に対応して並設された複数のＬＥＤ光源群Ｌ１〜Ｌ１２（複数の光源の一例）を有している。前記ＬＥＤ光源群Ｌ１〜Ｌ１２各々は，前記液晶パネル２１の水平方向に並設された複数のＬＥＤ光源３１ａを含んでいる。また，前記ＬＥＤ光源群Ｌ１〜Ｌ１２各々に対応する前記表示領域各々は，前記液晶パネル２１の複数ラインの表示画素を含む領域である。
前記バックライト光源３１は，前記バックライト制御部３２からの制御指示に応じて，多数の前記ＬＥＤ光源３１ａを前記ＬＥＤ光源群Ｌ１〜Ｌ１２の各単位で個別に明滅させる。なお，前記ＬＥＤ光源群Ｌ１〜Ｌ１２の数はこれに限らず，前記液晶パネル２１のサイズに応じて適宜設計変更すればよい。
また，本発明で問題としている光漏れは，前記ＬＥＤ光源３１ａを有する前記ＬＥＤ光源群Ｌ１〜Ｌ１２を用いた場合により顕著に現れるが，本発明は，前記バックライト光源３１が，前記ＬＥＤ光源群Ｌ１〜Ｌ１２に代えて前記液晶パネル２１の垂直方向に並設された複数の蛍光管（複数の光源の一例）を有する場合にも適用可能である。
【００１５】
前記バックライト制御部３２は，前記バックライト光源３１を常時点灯させるホールド駆動処理と，１フレーム期間内（１垂直期間内）に前記バックライト光源３１の前記ＬＥＤ光源３１ａを前記ＬＥＤ光源群Ｌ１〜Ｌ１２ごとに順次間欠点灯させるバックライトスキャン処理とのいずれかを選択的に実行する。
前記バックライト制御部３２による前記バックライトスキャン処理の実行の有無は，例えば不図示のリモコンや前記液晶表示装置Ｘの本体に設けられた操作キーのユーザ操作に応じて前記表示制御部１１によって切り換えられる。なお，前記表示制御部１１が表示映像の内容などに応じて自動的に前記バックライトスキャン処理の実行の有無を切り換えるものであってもよい。
ここで，１フレーム期間とは，前記液晶パネル２１に１フレームの画像を表示するための期間，即ち垂直同期信号の間隔である。従って，前記液晶パネル２１の画像書き込み速度（駆動周波数）が１２０Ｈｚ（いわゆる倍速液晶）である前記液晶表示装置Ｘにおいて，１フレーム期間は約８．３ｍｓである。もちろん，前記液晶パネル１５の駆動周波数は，６０Ｈｚや２４０Ｈｚなどであってもよい。
【００１６】
ここに，図３は，前記バックライトスキャン処理の実行結果の一例を説明するための模式図である。
図３に示すように，前記バックライト制御部３２によって前記バックライトスキャン処理が実行されると，前記ＬＥＤ光源群Ｌ１〜Ｌ１２各々は，対応する表示領域の画像書き込み開始から約４．１ｍｓ（１フレームの５０％）消灯した後，約４．１ｍｓ（１フレームの５０％）点灯する。これにより，擬似的にインパルス駆動が実現されるため，動画表示の動きぼけや多重輪郭を防止することができる。なお，前記ＬＥＤ光源群Ｌ１〜Ｌ１２が消灯し又は点灯する時間（割合）はこれに限らない。
【００１７】
ここで，前記バックライト制御部３２は，前記バックライトスキャン処理において，前記液晶パネル２１に表示する画像信号の垂直同期信号及び水平同期信号に同期して前記ＬＥＤ光源群Ｌ１〜Ｌ１２各々を順次明滅させる。
具体的に，前記バックライト制御部３２は，垂直同期信号の受信に応じて一列目の前記ＬＥＤ光源群Ｌ１を約４．１ｍｓ消灯させ，その後，約４．１ｍｓ点灯させる。
また，前記バックライト制御部３２は，前記垂直同期信号の受信後，前記ＬＥＤ光源群Ｌ１に対応する前記液晶パネル２１の複数ラインの液晶素子に対応する数の水平同期信号の受信に応じて，前記ＬＥＤ光源群Ｌ２を約４．１ｍｓ消灯させ，その後，約４．１ｍｓ点灯させる。
同じく，前記バックライト制御部３２は，前記垂直同期信号の受信後，前記ＬＥＤ光源群Ｌ１，Ｌ２に対応する前記液晶パネル２１の複数ラインの液晶素子に対応する数の水平同期信号の受信に応じて，前記ＬＥＤ光源群Ｌ３を約４．１ｍｓ消灯させ，その後，約４．１ｍｓ点灯させる。
その後も同様の処理が繰り返されることにより，前記ＬＥＤ光源群Ｌ１〜Ｌ１２は，各々が対応する前記液晶パネル２１の複数ラインの液晶素子の走査に同期して順次明滅される。なお，前記バックライト光源３１のＬＥＤ光源群Ｌ１〜Ｌ１２各々が下端から上端に向けて順次間欠点灯される形態であっても同様に本発明の適用が可能である。
【００１８】
ところで，前述したように前記バックライト光源３１における前記ＬＥＤ光源群Ｌ１〜Ｌ１２各々からの光は，他の前記ＬＥＤ光源群Ｌ１〜Ｌ１２各々の位置における輝度に影響を与える。
例えば，図６は，前記ＬＥＤ光源群Ｌ１〜Ｌ１２のうち上端に位置する前記ＬＥＤ光源群Ｌ１のみを点灯させた場合の該ＬＥＤ光源群Ｌ１と他の前記ＬＥＤ光源群Ｌ２〜Ｌ１２との輝度比の関係例を示すグラフである。図６に示すように，前記ＬＥＤ光源群Ｌ２〜Ｌ１２各々の位置における輝度は，前記ＬＥＤ光源群Ｌ１から漏れる光の影響を受ける。
そのため，図３に示したように前記ＬＥＤ光源群Ｌ１〜Ｌ１２の１フレームにおける点灯率（５０％）を全て同一に設定して前記バックライトスキャン処理が実行された場合，その１フレームにおける前記バックライト光源３１の中央部の輝度は，上下から漏れる光の影響を受けて高くなってしまう。従って，１フレームにおける前記バックライト光源３１による液晶パネル２１の照明の輝度を均一にするには，前記バックライトスキャン処理実行時における前記ＬＥＤ光源群Ｌ１〜Ｌ１２各々の点灯率を予め調整する必要がある。
そこで，当該液晶表示装置Ｘでは，以下に説明するように，前記バックライトスキャン処理実行時における前記ＬＥＤ光源群Ｌ１〜Ｌ１２各々の点灯率が予め設定されており，前記バックライト制御部３２が，その設定された点灯率に基づいて前記バックライトスキャン処理を実行する。
【００１９】
ここに，図４は，前記バックライト光源３１のＬＥＤ光源群Ｌ１〜Ｌ１２を全て点灯させたとき，該ＬＥＤ光源群Ｌ１〜Ｌ１２の中央部に位置する前記ＬＥＤ光源群Ｌ７を基準（１００％）としたときの輝度比を示している。
図４に示すように，前記ＬＥＤ光源群Ｌ１〜Ｌ１２各々の輝度比は，中央部の前記ＬＥＤ光源群Ｌ７を基準に上端又は下端に向けて徐々に減少する。
そこで，前記バックライトスキャン処理の１フレームにおける前記バックライト光源３１のＬＥＤ光源群Ｌ１〜Ｌ１２の点灯率を，全ての前記ＬＥＤ光源群Ｌ１〜Ｌ１２を同時に点灯させたときに該ＬＥＤ光源群Ｌ１〜Ｌ１２各々に対応する表示領域各々で得られる輝度の比（図４参照）の逆比となるように設定する。即ち，前記ＬＥＤ光源群Ｌ１〜Ｌ１２各々の点灯率は，前記ＬＥＤ光源群Ｌ７を基準に上端又は下端に向けて徐々に増加するように設定される。例えば，図４に示すように，前記ＬＥＤ光源群Ｌ１と前記ＬＥＤ光源群Ｌ７との輝度比は８５：１００であるため，該ＬＥＤ光源群Ｌ１の点灯率は，前記ＬＥＤ光源群Ｌ１と前記ＬＥＤ光源群Ｌ７との点灯率が輝度比の逆比である１００：８５となるように設定される。
これにより，前記バックライトスキャン処理実行時に，１フレームにおける前記バックライト光源３１による前記液晶パネル２１の照明の輝度を均一にすることができる。また，全ての前記ＬＥＤ光源群Ｌ１〜Ｌ１２を同じ点灯率で間欠点灯させたときに該ＬＥＤ光源群Ｌ１〜Ｌ１２各々に対応する表示領域各々で得られる輝度の比の逆比となるように設定してもよい。なお，前記点灯率の設定は，予め実験やシミュレーションにより得られた結果に基づいて適宜行えばよいのであって，ここで説明した手法に限らない。
【００２０】
そして，前記バックライト制御部３２は，図５に示すように，前記ＬＥＤ光源群Ｌ１〜Ｌ１２ごとに予め設定された点灯率に基づいてバックライトスキャン処理を実行する。
具体的に，前記バックライト制御部３２は，前記ＬＥＤ光源群Ｌ１〜Ｌ１２ごとに予め設定された点灯率に基づいて該ＬＥＤ光源群Ｌ１〜Ｌ１２各々を間欠点灯させるバックライトスキャン処理において，前記ＬＥＤ光源群Ｌ１〜Ｌ１２のうち中央に位置し最も点灯率が低い前記ＬＥＤ光源群Ｌ７を基準光源としたとき，該ＬＥＤ光源群Ｌ７よりも点灯率が高く設定された前記ＬＥＤ光源群Ｌ１〜Ｌ６，Ｌ８〜Ｌ１２のうち，前記ＬＥＤ光源群Ｌ７よりも点灯順序が先のＬＥＤ光源群Ｌ１〜Ｌ６については，前記ＬＥＤ光源群Ｌ７と同じ点灯率で間欠点灯された場合における点灯期間の終了時点を遅らせることにより点灯率を変化させている。一方，前記ＬＥＤ光源群Ｌ７よりも点灯順序が後の前記ＬＥＤ光源群Ｌ８〜Ｌ１２については，前記ＬＥＤ光源群Ｌ７と同じ点灯率で間欠点灯された場合における点灯期間の開始時点を早めることにより点灯率を変化させている。
これにより，前記液晶表示装置Ｘでは，前記ＬＥＤ光源群Ｌ７よりも点灯順序が前の前記ＬＥＤ光源群Ｌ１〜Ｌ６，及び前記ＬＥＤ光源群Ｌ７よりも点灯順序が後の前記ＬＥＤ光源群Ｌ８〜Ｌ１２のいずれについても，隣接するＬＥＤ光源群が消灯している期間における点灯時間の延長を抑制しつつ点灯率を変化させることができる。
従って，前記液晶表示装置Ｘでは，前記バックライトスキャン処理実行時の前記バックライト光源３１におけるＬＥＤ光源群Ｌ１〜Ｌ１２相互間の光漏れに起因する黒挿入の効果の低減，即ち動画表示の動きぼけや多重輪郭の防止効果の低減を抑制しつつ，該ＬＥＤ光源群Ｌ１〜Ｌ１２各々の点灯率を調整することができる。
【００２１】
ところで，前記バックライト光源３１において，前記基準光源である前記ＬＥＤ光源群Ｌ７よりも点灯率が低いＬＥＤ光源群や，前記ＬＥＤ光源群Ｌ７と点灯率が同じであるＬＥＤ光源群が存在することも考えられる。
例えば，前記バックライト光源３１の筐体からの反射を考慮して，前記バックライト光源３１の上下両端に位置する前記ＬＥＤ光源群Ｌ１，Ｌ１２の点灯率が前記ＬＥＤ光源群Ｌ７と同じ又は前記ＬＥＤ光源群Ｌ７よりも低く設定されることが考えられる。
このような場合には，前記ＬＥＤ光源群Ｌ７よりも点灯順序が先である前記ＬＥＤ光源群Ｌ１の点灯開始タイミングを遅らせ（点灯期間を後にシフトさせ），前記ＬＥＤ光源群Ｌ７よりも点灯順序が後である前記ＬＥＤ光源群Ｌ１２の点灯開始タイミングを早める（点灯期間を前にシフトさせる）ことにより，該ＬＥＤ光源群Ｌ１，Ｌ１２と他の前記ＬＥＤ光源群Ｌ２〜Ｌ１１との間の光漏れの影響を低減することが考えられる。
なお，基準光源である前記ＬＥＤ光源群Ｌ７よりも点灯率が高いＬＥＤ光源群が存在しない場合であって，前記ＬＥＤ光源群Ｌ７よりも点灯率が低いＬＥＤ光源群又は前記ＬＥＤ光源群Ｌ７と点灯率が同じであるＬＥＤ光源群が存在する場合に，該ＬＥＤ光源群Ｌ７よりも点灯率が低いＬＥＤ光源群について上述のような点灯タイミングの制御を行うことにより黒挿入の効果を高めることも本発明の一形態である。もちろん，前記ＬＥＤ光源群Ｌ７よりも点灯率が高いＬＥＤ光源群（前者）が存在し，且つ前記基準光源である前記ＬＥＤ光源群Ｌ７よりも点灯率が低いＬＥＤ光源群や前記ＬＥＤ光源群Ｌ７と点灯率が同じであるＬＥＤ光源群（後者）が存在する場合に，前者又は後者のいずれか一方についてのみ前述のような点灯タイミングの制御を行うことにより黒挿入の効果を高めてもよい。
【産業上の利用可能性】
【００２２】
本発明は，テレビジョン受像機やディスプレイ装置などの液晶表示装置への利用が可能である。
【符号の説明】
【００２３】
１１…表示制御部、２１…液晶パネル、２２…液晶駆動部、２３…記憶メモリ、３１…バックライト光源、３２…バックライト制御部、３１ａ…ＬＥＤ光源、Ｌ１〜Ｌ１２…ＬＥＤ光源群、Ｘ…液晶表示装置。
【図１】
0005420781.tif 000002
【図２】
0005420781.tif 000003
【図３】
0005420781.tif 000004
【図４】
0005420781.tif 000005
【図５】
0005420781.tif 000006
【図６】
0005420781.tif 000007
【図７】
0005420781.tif 000008